(57)【要約】【課題】ドラムヘッドの張り具合を直接把握しつつ、ドラムのチューニングを行うことを可能にする。【解決手段】各々の歪み検出方向がドラムヘッドの中心を向き、かつ各々についての前記中心からの距離が一定となるように前記ドラムヘッドに装着される複数の歪みゲージと、前記複数の歪みゲージの各々の出力信号に基づいて得られる前記ドラムヘッドの張力の分布に応じた報知を報知装置に行わせる信号処理手段と、を含むことを特徴とするドラム用チューナ、を提供する。【選択図】図１
2018155883.tif 000002
【特許請求の範囲】
【請求項１】
ドラムヘッドに装着される複数の歪みゲージと、
前記複数の歪みゲージの各々の出力信号に基づいて得られる前記ドラムヘッドの張力の分布に応じた報知を報知装置に行わせる信号処理手段と、
を含むことを特徴とするドラム用チューナ。
【請求項２】
前記複数の歪みゲージの各々は、前記ドラムヘッドの中心からの各々の距離が一定となるように前記ドラムヘッドに装着されることを特徴とする請求項１に記載のドラム用チューナ。
【請求項３】
前記複数の歪みゲージの各々は、ドラムのシェルに前記ドラムヘッドを固定するためのラグと前記ドラムヘッドの中心とを通る直線上に装着されることを特徴とする請求項１または請求項２に記載のドラム用チューナ。
【請求項４】
前記複数の歪みゲージの各々は、歪みの検出方向が前記ドラムヘッドの中心を向くように前記ドラムヘッドに装着されることを特徴とする請求項１〜３の何れか１項に記載のドラム用チューナ。
【請求項５】
前記複数の歪みゲージの前記ドラムヘッドへの装着を補助する装着補助手段を有することを特徴とする請求項２〜４の何れか１項に記載のドラム用チューナ。
【請求項６】
複数の歪みゲージが装着されたことを特徴とするドラムヘッド。
【請求項７】
前記複数の歪みゲージの各々の出力信号に基づいて得られる本ドラムヘッドの張力の分布に応じた報知を報知装置に行わせる信号処理手段をさらに有することを特徴とする請求項６に記載のドラムヘッド。
【発明の詳細な説明】
【技術分野】
【０００１】
本発明は、アコースティックドラムのチューニングを支援する技術に関する。
【背景技術】
【０００２】
アコースティックドラム（以下、単に「ドラム」）のチューニングとは、演奏者の望む演奏音が得られるようにドラムヘッドの張り具合を均一にすることをいう。ドラムヘッドの張り具合を均一にするとは、ドラムヘッドの半径方向に掛かっている張力が半径のとり方によらず略一定であること、すなわち、ドラムヘッドの半径方向の張力がドラムの中心軸に対して軸対称であることをいう。従来、ドラムのチューニングは、ドラムヘッドをドラムのシェルに装着した状態で、当該シェルの周面にその周方向に等間隔に設けられた複数のラグの各々にチューニングボルトをねじ込んでドラムヘッドをフープによりシェルに圧締することで実現されていた。
【０００３】
ドラムのチューニングを支援するためのチューナの一例としては、特許文献１或いは特許文献２に開示のチューナが挙げられる。特許文献１に開示のチューナは、ドラムヘッドの打撃により発生する音の周波数を表示する。特許文献２に開示のチューナは、ドラムヘッドの打撃により発生する振動を当該ドラムヘッドに貼り付けられた圧電センサにより測定し、その測定結果を報知する。
【先行技術文献】
【特許文献】
【０００４】
【特許文献１】特表２０１５−５０３１２４号公報
【特許文献２】特開２０１２−２０８４８７号公報
【発明の概要】
【発明が解決しようとする課題】
【０００５】
特許文献１および特許文献２の各文献に開示のチューナは、ドラムヘッドの打撃により発生する音或いは振動を介してそのドラムヘッドの張り具合を、チューニング担当者に推測させるものであり、チューニング担当者はドラムヘッドの張り具合の均一性を直接把握することはできない。加えて、特許文献１や特許文献２に開示のチューナには、ドラムヘッドにある程度の張力がかかっている状態でなければ、ドラムヘッドを打撃しても明確な音や振動が発生せず、チューニングを行えない、といった問題もある。
【０００６】
ドラムヘッドに張力をかけるには、チューニングボルトを複数のラグの各々へねじ込む必要があるが、複数のチューニングボルトを同時にねじ込むことはできず、各チューニングボルトを１つずつ順番にねじ込むことになる。しかし、各チューニングボルトのねじ込み量を同じにしたとしてもドラムヘッドの張り具合が均一になるとは限らない。その理由は次の通りである。1つ目のチューニングボルトのねじ込みを完了した状態ではそのねじ込みに応じた張力分布がドラムヘッドに発生しており、その張力分布によってはドラムヘッドに皺が発生する場合もある。このように、何らかの張力分布がドラムヘッドに発生している状況下で、２つ目のチューニングボルトのねじ込み量を１つ目のチューニングボルトと同じにしたとしても、ドラムヘッドの中心と２つ目のチューニングボルトとを通る直線に沿ってドラムヘッドに働く張力が、ドラムヘッドの中心と１つ目のチューニングボルトとを通る直線に沿ってドラムヘッドに働く張力と同じになるとは限らない。
【０００７】
つまり、特許文献１や特許文献２に開示のチューナには、チューニングの開始時点でドラムヘッドの張り具合が不均一になっていることを回避できず、また、ドラムヘッドの張り具合が不均一になっていることをチューニング担当者に直接観察させることもできない、といった問題がある。
【０００８】
本発明は以上に説明した課題に鑑みて為されたものであり、ドラムヘッドの張り具合を直接把握しつつ、ドラムのチューニングを行うことを可能にする技術を提供することを目的とする。
【課題を解決するための手段】
【０００９】
上記課題を解決するために本発明は、ドラムヘッドに装着される複数の歪みゲージと、複数の歪みゲージの各々の出力信号に基づいて得られる当該ドラムヘッドの張力の分布に応じた報知を報知装置に行わせる信号処理手段と、を含むことを特徴とするドラム用チューナ、を提供する。
【００１０】
本発明によれば、ドラムヘッドにかかっている張力の分布が報知装置によって報知されるので、チューニング担当者はドラムヘッドの張り具合を直接把握しつつドラムのチューニングを行うことが可能になる。ドラムヘッドへの歪みゲージの装着態様としては、両面テープなどの着脱自在な装着手段を用いて歪みゲージをドラムヘッドに装着する態様と、接着剤などを用いて歪みゲージをドラムヘッドに接着する態様とが考えられる。前者の態様であれば、ドラムの演奏の際には歪みゲージをドラムヘッドから取り外し、ドラムの演奏やその演奏音に影響が生じることを回避することができる。後者の態様であれば、その装着位置における張力を前者よりも正確に計測できると考えられる。なお、後者の態様においては歪みゲージがドラム演奏の妨げとならないように、歪みゲージをドラムヘッドの裏面、すなわち打面とは反対側の面に接着しておくことが好ましい。
【００１１】
より好ましい態様においては、複数の歪みゲージの各々は、ドラムヘッドの中心からの各々の距離が一定となるようにドラムヘッドに装着されることを特徴とする。本態様によれば、ドラムヘッドの中心から距離が異なる位置に複数の歪みゲージを装着する態様に比較してドラムヘッドにおける張力分布を正確に得ることが可能になる。さらに好ましい態様においては、複数の歪みゲージの各々は、ドラムのシェルにドラムヘッドを固定するためのラグとドラムヘッドの中心とを通る直線上に装着されることを特徴とする。また、さらに好ましい態様においては、複数の歪みゲージの各々は、歪みの検出方向がドラムヘッドの中心を向くようにドラムヘッドに装着されることを特徴とする。この態様によれば、歪みの検出方向がドラムヘッドの中心を向いていない態様に比較してドラムヘッドにおける張力分布をさらに正確に得ることが可能になる。
【００１２】
また、別の好ましい態様においては、上記ドラム用チューナは、複数の歪みゲージのドラムヘッドへの装着を補助する装着補助手段を有することを特徴とする。なお、上記装着補助手段についてはドラムヘッドに設けても良い。また、別の好ましい態様においては、上記複数の歪みセンサが装着されたドラムヘッドを提供しても良く、さらに好ましい態様においては、これら複数の歪みゲージの各々の出力信号に基づいて得られる本ドラムヘッドの張力の分布に応じた報知を報知装置に行わせる信号処理手段を有することを特徴とするドラムヘッドを提供しても良い。
【図面の簡単な説明】
【００１３】
【図１】本発明の一実施形態に係るドラム用チューナの構成および使用態様を説明するための図である。
【図２】ドラムヘッドへの歪みゲージ１１０＿ｎの装着を補助する装着補助手段の一例を示す図である。
【図３】ドラムヘッドへの歪みゲージ１１０＿ｎの装着を補助する装着補助手段の一例を示す図である。
【発明を実施するための形態】
【００１４】
以下、図面を参照しつつ本発明の一実施形態について説明する。
図１は、本発明の一実施形態のドラム用チューナの構成および使用態様を説明するための図である。このドラム用チューナは、チューニング対象のドラムのドラムヘッド２０に装着される歪みゲージ１１０＿１〜１１０＿６と、信号線を介して歪みゲージ１１０＿ｎ（ｎ＝１〜６）の各々に接続される信号処理手段１２０と、を含む。
【００１５】
歪みゲージ１１０＿ｎ（ｎ＝１〜６）は、ドラムヘッド２０の打面、すなわち演奏時にスティック等で打撃される面に、例えば両面テープなどを用いて着脱自在に装着されている。図１に示すように、歪みゲージ１１０＿ｎ（ｎ＝１〜６）の各々は、ドラムヘッド２０の装着されるシェル（図１では、図示略）に設けられている６個のラグ３０＿ｎの各々に対応する位置、すなわちドラムヘッド２０の中心Ｃとラグ３０＿ｎとを結ぶ直線上に装着されている。歪みゲージ１１０＿ｎ（ｎ＝１〜６）の各々は、ドラムヘッド２０の中心Ｃから半径方向に距離Ｄだけ隔てて装着されている。図１では、歪みゲージ１１０＿ｎの歪みの検出方向が双方向矢印で示されている。図１に示すように、歪みゲージ１１０＿ｎ（ｎ＝１〜６）の各々は、歪み検出方向を中心Ｃに向けてドラムヘッド２０に装着されている。歪みゲージ１１０＿ｎ（ｎ＝１〜６）の各々の歪みの検出方向を上記のように揃え、かつ歪みゲージ１１０＿ｎ（ｎ＝１〜６）の各々の装着位置を上記のように揃えるのは、歪みゲージ１１０＿ｎ（ｎ＝１〜６）の各々による歪みの検出条件を揃えるためである。
【００１６】
歪みゲージ１１０＿ｎには、両面テープを介してその装着位置におけるドラムヘッド２０の張力が外力として加わる。歪みゲージ１１０＿ｎは歪みの検出方向に加わった外力に応じて伸縮し、その伸縮に応じた信号値の電気信号を出力する。これにより、歪みゲージ１１０＿ｎの装着位置におけるドラムヘッド２０の張り具合（張力）が計測される。
【００１７】
信号処理手段１２０は、例えばＤＳＰであり、歪みゲージ１１０＿ｎ（ｎ＝１〜６）の各々の出力信号に基づいて得られるドラムヘッド２０の張力の分布に応じた報知を報知装置（図１では図示略）に行わせる。例えば、信号処理手段１２０は、歪みゲージ１１０＿ｎの出力信号の表す伸縮量を当該歪みゲージ１１０＿ｎに加わった外力に換算して上記張力分布を算出する。報知装置の具体例としては液晶パネルが挙げられる。報知装置として液晶パネルを用いた場合の報知態様としては、歪みゲージ１１０＿ｎ（ｎ＝１〜６）の各々の伸縮量から換算される数値を表示する態様、或いは一方の座標が張力の大きさを表し、他方の座標が張力の検出位置を示す二次元座標系に歪みゲージ１１０＿ｎ（ｎ＝１〜６）の各々の伸縮量から換算される張力をプロットして得られるグラフを表示する態様が挙げられる。
【００１８】
本実施形態のドラム用チューナを利用してドラムのチューニングを行うチューニング担当者は、ドラムヘッド２０にかかっている張力の分布を報知装置の報知を通じて視覚的に直接把握しつつ、チューニングを行うことができる。例えば、上記報知装置による報知結果から、中心Ｃと歪みゲージ１１０＿１とを結ぶ方向の張力が他の方向の張力に比較して弱いことが把握できた場合には、ラグ３０＿１へのチューニングボルトのねじ込み量を多くして中心Ｃと歪みゲージ１１０＿１とを結ぶ方向の張力を高めることができる。
【００１９】
ラグ３０＿１へのチューニングボルトのねじ込み量を変化させると、例えば中心Ｃと歪みゲージ１１０＿５とを結ぶ方向など他の方向の張力にも予期せぬ変動が生じ得る。このように予期せぬ張力分布の変動が発生したとしても、本実施形態のドラム用チューナの利用者は上記報知装置による報知を通じで当該変動を視覚的に把握し、ラグ３０＿５へのチューニングボルトのねじ込み量を再調整するといった対処を行うことができる。このようにしてドラムのチューニングを完了すると、チューニング担当者は歪みゲージ１１０＿ｎ（ｎ＝１〜６）の各々をドラムヘッド２０から取り外す。ドラムの演奏やその演奏音に影響が生じることを回避するためである。
【００２０】
以上説明したように本実施形態によれば、ドラムヘッドの張り具合を直接把握しつつ、ドラムのチューニングを行うことが可能になる。以上本発明の一実施形態について説明したが、この実施形態に以下の変形を加えても勿論良い。
【００２１】
（１）上記実施形態では、ラグ３０＿ｎ（ｎ＝１〜６）の位置に対応させて歪みゲージ１１０＿ｎをドラムヘッド２０に装着したが、ラグとラグの間の位置、例えばラグとラグの中間の位置に歪みゲージ１１０＿ｎを装着しても良い。また、ラグとは無関係に歪みゲージ１１０＿ｎを装着しても良く、ドラムヘッドに装着する歪みゲージの数と当該ドラムヘッドの装着されるシェルに設けられているラグの数とが一致している必要はない。つまり、歪みゲージ１１０＿ｎの数は２〜５であっても良く、また７以上であっても良い。
【００２２】
また、上記実施形態では、歪みゲージ１１０＿ｎ（ｎ＝１〜６）がドラムヘッド２０の中心Ｃから見て回転対称に装着されていたが、複数の歪みゲージの各々の装着位置が回転対称な位置であることは必須ではなく、ドラムヘッド２０の中心Ｃからの距離が異なる位置に装着されても良い。また、歪みゲージ１１０＿ｎ（ｎ＝１〜６）の各々の歪みの検出方向がドラムヘッド２０の中心Ｃに向いていることも必須ではない。歪みゲージ１１０＿ｎ（ｎ＝１〜６）が非回転対称な位置に装着されていたり、各々の歪みの検出方向が中心Ｃに向いていなかったりしても、張力分布の算出精度の低下が発生するものの、ドラムヘッド２０の張力分布を算出することは可能だからである。要は、複数の歪みゲージの各々が、ドラムヘッド２０の中心Ｃからの距離が一定となるようにドラムヘッド２０に装着されていれば良い。
【００２３】
（２）上記実施形態では、歪みゲージ１１０＿ｎ（ｎ＝１〜６）の各々は両面テープを用いてドラムヘッド２０に着脱自在に装着されていたが、演奏音の音質への影響が少ないのであれば、歪みゲージ１１０＿ｎ（ｎ＝１〜６）の各々を接着剤でドラムヘッド２０に接着しても良い。換言すれば、歪みゲージ１１０＿ｎ（ｎ＝１〜６）が装着されたドラムヘッドを提供しても良く、歪みゲージ１１０＿ｎ（ｎ＝１〜６）に加えて信号処理手段１２０を有するドラムヘッドを提供しても良い。この場合、歪みゲージ１１０＿ｎ（ｎ＝１〜６）の各々が演奏の妨げとならないように、歪みゲージ１１０＿ｎ（ｎ＝１〜６）の各々をドラムヘッド２０の打面とは反対側の裏面に装着しても良い。歪みゲージ１１０＿ｎ（ｎ＝１〜６）の各々を両面テープ等により着脱自在にドラムヘッド２０に装着する場合についても同様に、ドラムヘッド２０の裏面に歪みゲージ１１０＿ｎ（ｎ＝１〜６）の各々を装着しても良い。
【００２４】
（３）複数の歪みゲージのドラムヘッドへの装着を補助する装着補助手段をドラム用チューナに設けても良い。このような装着補助手段の具体例としては、図２に示す装着補助手段２１０Ａ、或いは装着補助手段２１０Ｂが挙げられる。図２に示す装着補助手段２１０Ａは、ドラムヘッド２０の外周よりも若干短い外周を有する円環状に形成された両面テープである。装着補助手段２１０Ａの一方の面には、歪みゲージ１１０＿ｎ（ｎ＝１〜６）の各々が回転対称、かつ各々の歪み検出方向が上記円環の中心Ｃ´を向き、かつ中心Ｃ´からの距離が一定となる位置に設置されている。この装着補助手段２１０Ａをその中心Ｃ´がドラムヘッドの中心と重なるようにドラムヘッドの打面或いは裏面に貼り付けることで、複数の歪みゲージを、回転対称、かつ各々の検出方向が上記ドラムヘッドの中を向き、かつ上記ドラムヘッドの中心からの距離が一定となるように上記ドラムヘッドに簡便に装着することができる。
【００２５】
図２に示す装着補助手段２１０Ｂは、長方形状に形成された両面テープである。装着補助手段２１０Ｂの一方の面には、特定の一辺（図２に示す例では２つの長辺のうちの１つ）の中点Ｍ１を通りかつ当該辺と直交する直線上に、歪み検出方向が当該直線と平行になるように歪みゲージ１１０＿ｎが設置されている。図２に示すように、上記特定の辺の端がドラムヘッド２０の外周２０Ｌに接するように装着補助手段２１０Ｂをドラムヘッド２０に貼り付けることで、歪みゲージ１１０＿ｎを、その検出方向がドラムヘッドの中心を向き、かつ当該中心からの距離が一定となるようにドラムヘッド２０に簡便に装着することができる。なお、装着補助手段２１０Ｂの形状は長方形には限定されず、二等辺三角形であっても良く、この場合、二等辺三角形の底辺（互いに長さが等しい２辺以外の辺）を上記特定の辺とすれば良い。
【００２６】
また、複数の歪みゲージの装着を補助する装着補助手段をドラムヘッドに設けても良い。図３は、各々の歪み検出方向が本ドラムヘッドの中心Ｃを向き、かつ各々についての中心Ｃからの距離が一定となるように本ドラムヘッドへ複数の歪みゲージを装着することを補助する装着補助手段２１０Ｃを有するドラム２０´の平面図である。ドラムヘッド２０´における装着補助手段２１０Ｃは、ドラムヘッド２０´の打面或いは裏面に印刷等により形成された矩形状のマークである。装着補助手段２１０Ｃは、対向する２辺の中点がドラムヘッド２０´の中心Ｃと一直線上に並び、かつ中心Ｃからの距離が一定となる位置に設けられている。この装着補助手段２１０Ｃ内に歪み検出方向がドラムヘッド２０´の中心Ｃを向くように歪みゲージ１１０を装着することで、各々の歪み検出方向がドラムヘッド２０´の中心Ｃを向き、かつ各々についての中心Ｃからの距離が一定となるように複数の歪みゲージ１１０をドラムヘッド２０´に装着することができる。
【符号の説明】
【００２７】
１０…ドラム用チューナ、２０，２０´…ドラムヘッド、１１０＿１〜１１０＿８，１１０…歪みゲージ、１２０…信号処理手段、２１０Ａ，２１０Ｂ、２１０Ｃ…装着補助手段。
【図１】
2018155883.tif 000003
【図２】
2018155883.tif 000004
【図３】
2018155883.tif 000005